(57)【要約】      （修正有）【課題】操作者が３次元の入力操作を直感的かつ容易に行うことができる入力装置を提供する。【解決手段】入力装置１は、本体部２に対して動作可能な操作部３と、本体部２に対する操作部３のＸ軸方向の動作を検出するＸ軸検出手段と、本体部２に対する操作部３のＸ軸方向と直交するＹ軸方向の動作を検出するＹ軸検出手段と、本体部２に対する操作部３のＸ軸方向及びＹ軸方向と直交するＺ軸方向の動作を検出するＺ軸検出手段とを備え、本体部２は、本体部２の前部に、操作者が本体部２を把持する際に人差し指と中指で挟んで支持する壁部２aを備える。【選択図】図１
2015007848.tif 000002
【特許請求の範囲】
【請求項１】
本体部に対して動作可能な操作部と、
前記本体部に対する前記操作部のＸ軸方向の動作を検出するＸ軸検出手段と、
前記本体部に対する前記操作部の前記Ｘ軸方向と直交するＹ軸方向の動作を検出するＹ軸検出手段と、
前記本体部に対する前記操作部の前記Ｘ軸方向及び前記Ｙ軸方向と直交するＺ軸方向の動作を検出するＺ軸検出手段と
を備え、
前記本体部は、前記本体部の前部に、操作者が前記本体部を把持する際に人差し指と中指で挟んで支持する壁部を備える
ことを特徴とする入力装置。
【請求項２】
前記本体部は、
前記本体部の前面に前記人差し指を挿入する第１の挿入部と、
前記本体部の前面に前記第１の挿入部の下部に前記中指を挿入する第２の挿入部と
を備え、
前記壁部は、前記第１の挿入部と前記第２の挿入部との間に位置する
ことを特徴とする請求項１に記載の入力装置。
【請求項３】
前記本体部は、
前記第２の挿入部の下部に薬指を挿入する第３の挿入部を備える、又は、前記第２の挿入部の下部に薬指を挿入する第３の挿入部と、前記第３の挿入部の下部に小指を挿入する第４の挿入部とを備える
ことを特徴とする請求項２に記載の入力装置。
【請求項４】
前記本体部は、
前記本体部の前面に前記人差し指を挿入する第１の挿入部を備え、
前記壁部は、前記第１の挿入部の下部に位置する
ことを特徴とする請求項１に記載の入力装置。
【請求項５】
前記本体部は、前記本体部の下部に薬指又は薬指及び小指で握って支持する支持部を備える
ことを特徴とする請求項１から請求項４のいずれか１項に記載の入力装置。
【発明の詳細な説明】
【技術分野】
【０００１】
本発明は、入力装置に関するものである。
【背景技術】
【０００２】
従来、ＸＹＺ軸、すなわち３次元の入力操作を直感的かつ容易に行うこと目的とした入力装置が知られている（例えば、特許文献１参照）。特許文献１には、入力装置の操作者が、リング部に親指を挿入し、親指を上下方向に動かすことで、指スティック部を上下方向に動作させ、各種機器に対してＺ軸方向の入力操作を行う技術が開示されている（例えば、特許文献１の図１参照）。上述した従来の入力装置は、操作者がコントローラ本体部を人差し指、中指、薬指及び小指で握って支持している。
【先行技術文献】
【特許文献】
【０００３】
【特許文献１】特開２００４−２２７２６６号公報
【発明の概要】
【発明が解決しようとする課題】
【０００４】
しかしながら、上述した従来の入力装置は、操作者が単にコントローラ本体部を人差し指、中指、薬指及び小指で握って支持しているだけであるため、入力装置の支持が十分でなく、操作者が操作中に入力装置を落としてしまう虞があった。また、操作者が親指で指スティック部を動かす際に、入力装置の支持が十分でないため、操作者が入力操作を行いにくい場合があった。このように、従来の入力装置は、操作者が３次元の入力操作を直感的かつ容易に行うことができない場合があるという課題があった。
【０００５】
以上のことから、本発明は、操作者が３次元の入力操作を容易に行うことができる入力装置を提供することを目的とする。
【課題を解決するための手段】
【０００６】
本発明に係る入力装置は、
本体部に対して動作可能な操作部と、
前記本体部に対する前記操作部のＸ軸方向の動作を検出するＸ軸検出手段と、
前記本体部に対する前記操作部の前記Ｘ軸方向と直交するＹ軸方向の動作を検出するＹ軸検出手段と、
前記本体部に対する前記操作部の前記Ｘ軸方向及び前記Ｙ軸方向と直交するＺ軸方向の動作を検出するＺ軸検出手段と
を備え、
前記本体部は、前記本体部の前部に、操作者が前記本体部を把持する際に人差し指と中指で挟んで支持する壁部を備えることを特徴とする。
【０００７】
さらに、前記本体部は、
前記本体部の前面に前記人差し指を挿入する第１の挿入部と、
前記本体部の前面に前記第１の挿入部の下部に前記中指を挿入する第２の挿入部と
を備え、
前記壁部は、前記第１の挿入部と前記第２の挿入部との間に位置する
ことを特徴とする。
【０００８】
さらに、前記本体部は、
前記第２の挿入部の下部に薬指を挿入する第３の挿入部を備える、又は、前記第２の挿入部の下部に薬指を挿入する第３の挿入部と、前記第３の挿入部の下部に小指を挿入する第４の挿入部とを備える
ことを特徴とする。
【０００９】
または、前記本体部は、
前記本体部の前面に前記人差し指を挿入する第１の挿入部を備え、
前記壁部は、前記第１の挿入部の下部に位置する
ことを特徴とする。
【００１０】
さらに、前記本体部は、前記本体部の下部に薬指又は薬指及び小指で握って支持する支持部を備える
ことを特徴とする。
【発明の効果】
【００１１】
本発明の入力装置は、操作者が３次元の入力操作を直感的かつ容易に行うことができるという利点がある。
【図面の簡単な説明】
【００１２】
【図１】第１の実施形態に係る入力装置を模式的に示した斜視図である。
【図２】第１の実施形態に係る入力装置の制御ブロック図である。
【図３】第１の実施形態に係る入力装置の側面図である。
【図４】第１の変形例に係る入力装置の側面図である。
【図５】第２の変形例に係る入力装置の側面図である。
【図６】第３の変形例に係る入力装置の側面図である。
【図７】第２の実施形態に係る入力装置の側面図である。
【発明を実施するための形態】
【００１３】
以下、本発明に係る入力装置の実施形態について、図面を用いて説明する。各図中、矢印Ｘは左右方向（Ｘ軸方向）の左方向を、矢印Ｙは前後方向（Ｙ軸方向）の前方向を、矢印Ｚは上下方向（Ｚ軸方向）の上方向をそれぞれ示す。言い換えれば、ＸＹ軸方向は水平方向を、Ｚ軸方向は垂直方向をそれぞれ示す。
【００１４】
〔第１の実施形態〕
以下、本発明に係る入力装置の第１の実施形態について説明する。
（構成）
はじめに、本実施形態に係る入力装置の構成について説明する。
図１に示すように、本実施形態に係る入力装置１は、本体部２と、操作部３とを備えている。操作部３は、本体部２に対して、矢印ＬＲ，ＦＢ，ＵＤで示すように動作可能となっている。操作者は、親指（図示省略）を本体部２に挿入して操作部３を動作させる。
【００１５】
図２に示すように、本実施形態に係る入力装置１は、本体部２の内部にＸ軸検出手段４と、Ｙ軸検出手段５と、Ｚ軸検出手段６と、制御部７とを備えている。Ｘ軸検出手段４は、操作部３の矢印ＬＲで示すＸ軸方向の動作を検出する。Ｙ軸検出手段５は、操作部３の矢印ＦＢで示すＹ軸方向の動作を検出する。Ｚ軸検出手段６は、操作部３の矢印ＵＤで示すＺ軸方向の動作を検出する。Ｘ軸検出手段４、Ｙ軸検出手段５及びＺ軸検出手段６は、例えば、可変抵抗器、光学センサ、磁気センサ又は加速度センサ等を用いて、本体部２に対する操作部３の相対的な位置の変化を検出する。
【００１６】
制御部７は、矢印ＬＲ，ＦＢ，ＵＤで示す操作部３の動作に伴いＸ軸検出手段４、Ｙ軸検出手段５及びＺ軸検出手段６における検出結果に基づく信号が入力され、この入力された信号に基づき各種機器８にＸＹＺ軸の制御信号を出力する。制御部７は、マイコン、例えばＵＳＢ内臓ＰＩＣマイコンである。
【００１７】
各種機器８は、例えば、３Ｄ画像表示ソフトウェア、３Ｄゲームソフトウェア又は３ＤＣＡＤソフトウェア等のＸＹＺ軸の制御を必要とするソフトウェアを動作させるコンピュータである。また、各種機器８は、ＸＹＺ軸の制御を必要とする、例えば、ロボット又は医療機器等であり、これ以外にも、ＸＹＺ軸の制御を必要とする機器であれば適用可能である。さらに、各種機器８は、例えば、ブラウザを動作させるコンピュータとして、制御部７はＸ軸検出手段４及びＹ軸検出手段５から出力された信号に基づきポインタの位置を制御し、Ｚ軸検出手段６から出力された信号に基づきブラウザの上下のスクロールを制御するようにすることも可能である。
【００１８】
次に、本実施形態に係る入力装置の要部について説明する。
図１，３に示すように、本実施形態に係る入力装置１の本体部２は、本体部２の前方向側の部分に操作者が入力装置１を把持する際に人差し指Ｆ１を挿入する環状の第１の挿入部１０と、中指Ｆ２を挿入する環状の第２の挿入部１１とを備えている。そして、第１の挿入部１０と第２の挿入部１１との間には壁部２ａが位置している。
【００１９】
また、本体部２は、本体部２の下部に操作者が入力装置１を把持する際に薬指Ｆ３及び小指Ｆ４で握る支持部２ｂを備えている。このように、本体部２の形状は、操作者が入力装置１を片手で支持しやすい形状となっている。
【００２０】
また、入力装置１は、第１の挿入部１０の本体部２の前面に人差し指Ｆ１で押す第１のボタン２０を備えている。また、入力装置１は、第２の挿入部１１の本体部２の前面に中指Ｆ２で押す第２のボタン２１を備えている。
【００２１】
（作用及び効果）
本実施形態に係る入力装置１は、操作者が本体部２の第１の挿入部１０に人差し指Ｆ１を挿入し、第２の挿入部１１に中指Ｆ２を挿入し、支持部２ｃを薬指Ｆ３及び小指Ｆ４で握ることができる。また、第１の挿入部１０と第２の挿入部１１の間に位置する壁部２ａを人差し指Ｆ１と中指Ｆ２で挟んで支持することができる。これにより、操作者は、入力装置１を確実に支持することができる。したがって、本実施形態に係る入力装置１によれば、操作者が３次元の入力操作を容易に行うことができる。
【００２２】
［変形例］
以下、本発明に係る入力装置の第１の実施形態の変形例について説明する。ここで、本変形例に係る入力装置と、第１の実施形態に係る入力装置とで共通する部分については、同一の符号を付すこととし、再度の説明は省略することとする。
【００２３】
（構成）
図４に示すように、第１の変形例に係る入力装置１は、第１の挿入部１０のみを備えている。
また、図５に示すように、第２の変形例に係る入力装置１は、第１の挿入部１０と、第２の挿入部１１と、薬指Ｆ３を挿入する第３の挿入部１２を備えている。
また、図６に示すように、第３の変形例に係る入力装置１は、第１の挿入部１０と、第２の挿入部１１と、薬指Ｆ３を挿入する第３の挿入部１２と、小指Ｆ４を挿入する第４の挿入部１３とを備えている。
【００２４】
また、第２の変形例に係る入力装置１は、第３の挿入部１２の本体部２の前面に薬指Ｆ３で押す第３のボタン２２を備えている。また、第４の変形例に係る入力装置１は、第４の挿入部１３の本体部２の前面に小指Ｆ４で押す第４のボタン２３を備えている。
【００２５】
（作用及び効果）
第１の変形例に係る入力装置１は、第１の挿入部１０に人差し指Ｆ１を挿入して支持するため、操作者の手の大きさに影響されずに支持しやすい形状である。
また、第２の変形例に係る入力装置１は、第１の挿入部１０、第２の挿入部１１及び第３の挿入部１２に、それぞれ人差し指Ｆ１、中指Ｆ２及び薬指Ｆ３を挿入して支持する。これにより、操作者は、入力装置１を確実に支持することができる。
また、第３の変形例に係る入力装置１は、第１の挿入部１０、第２の挿入部１１、第３の挿入部１２及び第４の挿入部１３に、それぞれ人差し指Ｆ１、中指Ｆ２、薬指Ｆ３及び小指Ｆ４を挿入して支持する。これにより、操作者は、入力装置１をより確実に支持することができる。
【００２６】
さらに、第２及び第３の変形例に係る入力装置１は、より多くのボタンを設置することができる。
したがって、第１から第３の変形例に係る入力装置１によれば、操作者が３次元の入力操作を直感的かつ容易に行うことができる。
【００２７】
〔第２の実施形態〕
以下、本発明に係る入力装置の第２の実施形態について説明する。ここで、本実施形態に係る入力装置と、第１の実施形態に係る入力装置とで共通する部分については、同一の符号を付すこととし、再度の説明は省略することとする。
（構成）
図７に示すように、本実施形態に係る入力装置１の本体部２は、本体部２の前方向側の部分に、操作者が入力装置１を把持する際に人差し指Ｆ１と中指Ｆ２で挟んで支持する壁部２ａを備えている。
【００２８】
また、本体部２は、本体部２の下部に操作者が入力装置１を把持する際に薬指Ｆ３及び小指Ｆ４で握る支持部２ｂを備えている。このように、本体部２は、簡易な形状、かつ軽量でありながら、操作者が入力装置１を片手で支持しやすい形状となっている。
【００２９】
（作用及び効果）
本実施形態に係る入力装置１は、操作者が本体部２の壁部２ａを人差し指Ｆ１と中指Ｆ２で挟んで支持し、支持部２ｃを薬指Ｆ３及び小指Ｆ４で握ることができる。これにより、操作者は、入力装置１を確実に支持することができる。したがって、本実施形態に係る入力装置１によれば、操作者が３次元の入力操作を直感的かつ容易に行うことができる。
【符号の説明】
【００３０】
１  入力装置
２  本体部
２ａ  壁部
２ｂ  支持部
３  操作部
４  Ｘ軸検出手段
５  Ｙ軸検出手段
６  Ｚ軸検出手段
７  制御部
８  各種機器
１０  第１の挿入部
１１  第２の挿入部
１２  第３の挿入部
１３  第４の挿入部
２０  第１のボタン
２１  第２のボタン
Ｆ１  人差し指
Ｆ２  中指
Ｆ３  薬指
Ｆ４  小指
【図１】
2015007848.tif 000003
【図２】
2015007848.tif 000004
【図３】
2015007848.tif 000005
【図４】
2015007848.tif 000006
【図５】
2015007848.tif 000007
【図６】
2015007848.tif 000008
【図７】
2015007848.tif 000009
【手続補正書】
【提出日】平成26年5月23日(2014.5.23)
【手続補正１】
【補正対象書類名】明細書
【補正対象項目名】０００６
【補正方法】変更
【補正の内容】
【０００６】
本発明に係る入力装置は、
本体部に対して操作者が親指を挿入して動作させることが可能な操作部と、
前記本体部に対する前記操作部のＸ軸方向の動作を検出するＸ軸検出手段と、
前記本体部に対する前記操作部の前記Ｘ軸方向と直交するＹ軸方向の動作を検出するＹ軸検出手段と、
前記本体部に対する前記操作部の前記Ｘ軸方向及び前記Ｙ軸方向と直交するＺ軸方向の動作を検出するＺ軸検出手段と
を備え、
前記本体部は、前記本体部の前部に、操作者が前記本体部を把持する際に人差し指と中指で挟んで支持する壁部を備えることを特徴とする。
【手続補正２】
【補正対象書類名】明細書
【補正対象項目名】００１４
【補正方法】変更
【補正の内容】
【００１４】
〔第１の実施形態〕
以下、本発明に係る入力装置の第１の実施形態について説明する。
（構成）
はじめに、本実施形態に係る入力装置の構成について説明する。
図１に示すように、本実施形態に係る入力装置１は、本体部２と、操作部３とを備えている。操作部３は、本体部２に対して、矢印ＬＲ，ＦＢ，ＵＤで示すように動作可能となっている。操作者は、親指Ｔ（図３〜７参照）を挿入して操作部３を動作させる。
【手続補正３】
【補正対象書類名】明細書
【補正対象項目名】００３０
【補正方法】変更
【補正の内容】
【００３０】
１  入力装置
２  本体部
２ａ  壁部
２ｂ  支持部
３  操作部
４  Ｘ軸検出手段
５  Ｙ軸検出手段
６  Ｚ軸検出手段
７  制御部
８  各種機器
１０  第１の挿入部
１１  第２の挿入部
１２  第３の挿入部
１３  第４の挿入部
２０  第１のボタン
２１  第２のボタン
Ｆ１  人差し指
Ｆ２  中指
Ｆ３  薬指
Ｆ４  小指
Ｔ  親指
【手続補正４】
【補正対象書類名】特許請求の範囲
【補正対象項目名】全文
【補正方法】変更
【補正の内容】
【特許請求の範囲】
【請求項１】
本体部に対して操作者が親指を挿入して動作させることが可能な操作部と、
前記本体部に対する前記操作部のＸ軸方向の動作を検出するＸ軸検出手段と、
前記本体部に対する前記操作部の前記Ｘ軸方向と直交するＹ軸方向の動作を検出するＹ軸検出手段と、
前記本体部に対する前記操作部の前記Ｘ軸方向及び前記Ｙ軸方向と直交するＺ軸方向の動作を検出するＺ軸検出手段と
を備え、
前記本体部は、前記本体部の前部に、操作者が前記本体部を把持する際に人差し指と中指で挟んで支持する壁部を備える
ことを特徴とする入力装置。
【請求項２】
前記本体部は、
前記本体部の前面に前記人差し指を挿入する第１の挿入部と、
前記本体部の前面に前記第１の挿入部の下部に前記中指を挿入する第２の挿入部と
を備え、
前記壁部は、前記第１の挿入部と前記第２の挿入部との間に位置する
ことを特徴とする請求項１に記載の入力装置。
【請求項３】
前記本体部は、
前記第２の挿入部の下部に薬指を挿入する第３の挿入部を備える、又は、前記第２の挿入部の下部に薬指を挿入する第３の挿入部と、前記第３の挿入部の下部に小指を挿入する第４の挿入部とを備える
ことを特徴とする請求項２に記載の入力装置。
【請求項４】
前記本体部は、
前記本体部の前面に前記人差し指を挿入する第１の挿入部を備え、
前記壁部は、前記第１の挿入部の下部に位置する
ことを特徴とする請求項１に記載の入力装置。
【請求項５】
前記本体部は、前記本体部の下部に薬指又は薬指及び小指で握って支持する支持部を備える
ことを特徴とする請求項１から請求項４のいずれか１項に記載の入力装置。